(57)【要約】【課題】  踏台と支柱の分解・組立てが容易で、運搬あるいは保管の便を図ることが可能な身長測定器を提供する。【解決手段】  身長測定器１は、被測定者を載せる踏台２と、目盛りが付され、踏台２上に立設される支柱３と、支柱３に沿って上下にスライドさせることが可能で、被測定者の頭頂部に当接される計測部材４と、を備えている。そして、踏台２と支柱３は、挿脱可能に連結される。支柱３は、分離可能に連結される第１〜第３の支柱要素３ａ，３ｂ，３ｃからなっている。計測部材４は、支柱３と分離した状態で設けられ、その先端部分には、壁掛け用の孔４ｃが形成されている。【選択図】  図１
0003210108.tif 000002
【実用新案登録請求の範囲】
【請求項１】
被測定者を載せる踏台と、目盛りが付され、前記踏台上に立設される支柱と、前記支柱に沿って上下にスライドさせることが可能で、前記被測定者の頭頂部に当接される計測部材と、を備えた身長測定器であって、
前記踏台と前記支柱は、挿脱可能に連結されることを特徴とする身長測定器。
【請求項２】
前記支柱は、分離可能に連結される複数の支柱要素からなっている、請求項１に記載の身長測定器。
【請求項３】
前記計測部材は、前記支柱と分離した状態で設けられていると共に、壁掛け用の孔が形成されている、請求項１又は２に記載の身長測定器。
【考案の詳細な説明】
【技術分野】
【０００１】
本考案は、被測定者の身長を測定するために用いられる身長測定器に関する。さらに詳細には、本考案は、踏台と支柱の分解・組立てが容易で、運搬あるいは保管の便を図ることが可能な身長測定器に関する。
【背景技術】
【０００２】
従来、この種の身長測定器としては、被測定者を載せる踏台と、目盛りが付され、前記踏台上に立設される支柱と、前記支柱に沿って上下にスライドさせることが可能で、前記被測定者の頭頂部に当接される計測部材と、を備えたものが一般的である（例えば、特許文献１，２等を参照）。
【先行技術文献】
【特許文献】
【０００３】
【特許文献１】特許第３５０３２９６号公報
【特許文献２】特許第３２９７３１７号公報
【考案の概要】
【考案が解決しようとする課題】
【０００４】
しかし、特許文献１，２等に開示された身長測定器では、踏台と支柱を簡単には分解することができないため、運搬しづらいという問題点がある。また、不使用時の保管にも場所をとられるという問題点がある。
【０００５】
本考案は、従来技術における前記課題を解決するためになされたものであり、踏台と支柱の分解・組立てが容易で、運搬あるいは保管の便を図ることが可能な身長測定器を提供することを目的とする。
【課題を解決するための手段】
【０００６】
前記目的を達成するため、本考案に係る身長測定器の構成は、
（１）被測定者を載せる踏台と、目盛りが付され、前記踏台上に立設される支柱と、前記支柱に沿って上下にスライドさせることが可能で、前記被測定者の頭頂部に当接される計測部材と、を備えた身長測定器であって、
前記踏台と前記支柱は、挿脱可能に連結されることを特徴とする。
【０００７】
本考案の身長測定器の上記（１）の構成によれば、踏台と支柱の分解・組立てが容易な身長測定器を提供することができる。そして、これにより、身長測定器の不使用時に、踏台と支柱を分解して収納保管しておくことができるので、収納スペースが狭くて済む。また、踏台と支柱を分解することにより、運搬もしやすくなる。すなわち、本考案の身長測定器の上記（１）の構成によれば、踏台と支柱の分解・組立てが容易で、運搬あるいは保管の便を図ることが可能な身長測定器を提供することができる。
【０００８】
本考案の身長測定器の上記（１）の構成においては、以下の（２）、（３）のような構成にすることが好ましい。
【０００９】
（２）前記支柱は、分離可能に連結される複数の支柱要素からなっている。
【００１０】
上記（２）の好ましい構成によれば、身長測定器の不使用時に、支柱を複数の支柱要素に分解して収納保管しておくことができるので、収納スペースのさらなる狭小化を図ることができる。また、身長測定器を、さらに細かく分解できるようになるため、運搬がさらにしやすくなる。
【００１１】
（３）前記計測部材は、前記支柱と分離した状態で設けられていると共に、壁掛け用の孔が形成されている。
【００１２】
上記（３）の好ましい構成によれば、計測部材の不使用時に当該計測部材を壁等に掛けておくことができる。
この場合、例えば、支柱にフックを取り付け、当該フックに計測部材を掛けておくようにすれば、身長測定器を使用する際に、計測部材をすぐに手にすることができるため、使い勝手の良い身長測定器を提供することが可能となる。
【考案の効果】
【００１３】
本考案によれば、踏台と支柱の分解・組立てが容易で、運搬あるいは保管の便を図ることが可能な身長測定器を提供することができる。
【図面の簡単な説明】
【００１４】
【図１】本考案の一実施の形態における身長測定器の全体構成を示す斜視図である。
【図２】本考案の一実施の形態における身長測定器の構成部材である、踏台と支柱の連結方法を説明するための斜視図である。
【図３】本考案の一実施の形態における身長測定器の構成部材である、踏台と支柱支持部材の連結方法を説明するための斜視図である。
【図４】本考案の一実施の形態における身長測定器の構成部材である、踏台と支柱支持部材の連結方法を説明するための平面図（（ａ）は支柱支持部材の延出部分、（ｂ）は踏台）である。
【図５】本考案の一実施の形態における身長測定器の構成部材である支柱を３つの支柱要素に分離した状態を示す斜視図（（ａ）は第１の支柱要素、（ｂ）は第２の支柱要素、（ｃ）は第３の支柱要素）である。
【図６】本考案の一実施の形態における身長測定器の構成部材である支柱の、第１の支柱要素と第２の支柱要素、及び、第２の支柱要素と第３の支柱要素を、それぞれ連結した状態を示す斜視図（（ａ）は第１の支柱要素と第２の支柱要素を連結した状態、（ｂ）は第２の支柱要素と第３の支柱要素を連結した状態）である。
【図７】本考案の一実施の形態における身長測定器の構成部材である計測部材を示す斜視図である。
【図８】本考案の一実施の形態における身長測定器の構成部材である計測部材の組立方法を説明するための斜視図である。
【図９】本考案の一実施の形態における身長測定器の構成部材である計測部材の組立方法を説明するための側面図である。
【図１０】本考案の一実施の形態における身長測定器の構成部材である計測部材の使用状態を示す斜視図である。
【図１１】本考案の一実施の形態における身長測定器の構成部材である計測部材の、不使用時の収納状態を示す側面図である。
【図１２】測定年月日等が記入されて、支柱に貼り付けられるプレートを示す正面図である。
【図１３】身長測定器の他の使用態様を示す斜視図である。
【考案を実施するための形態】
【００１５】
以下、好適な実施の形態を用いて本考案をさらに具体的に説明する。但し、下記の実施の形態は本考案を具現化した例に過ぎず、本考案はこれに限定されるものではない。
【００１６】
［身長測定器の構成］
まず、本考案の一実施の形態における身長測定器の構成について、図１〜図１２を参照しながら説明する。
【００１７】
図１は、本考案の一実施の形態における身長測定器の全体構成を示す斜視図、図２は、当該身長測定器の構成部材である、踏台と支柱の連結方法を説明するための斜視図、図３は、当該身長測定器の構成部材である、踏台と支柱支持部材の連結方法を説明するための斜視図、図４は、当該身長測定器の構成部材である、踏台と支柱支持部材の連結方法を説明するための平面図（（ａ）は支柱支持部材の延出部分、（ｂ）は踏台）、図５は、当該身長測定器の構成部材である支柱を３つの支柱要素に分離した状態を示す斜視図（（ａ）は第１の支柱要素、（ｂ）は第２の支柱要素、（ｃ）は第３の支柱要素）、図６は、当該身長測定器の構成部材である支柱の、第１の支柱要素と第２の支柱要素、及び、第２の支柱要素と第３の支柱要素を、それぞれ連結した状態を示す斜視図（（ａ）は第１の支柱要素と第２の支柱要素を連結した状態、（ｂ）は第２の支柱要素と第３の支柱要素を連結した状態）、図７は、当該身長測定器の構成部材である計測部材を示す斜視図、図８は、当該身長測定器の構成部材である計測部材の組立方法を説明するための斜視図、図９は、身長測定器の構成部材である計測部材の組立方法を説明するための側面図、図１０は、当該身長測定器の構成部材である計測部材の使用状態を示す斜視図、図１１は、当該身長測定器の構成部材である計測部材の、不使用時の収納状態を示す側面図、図１２は、測定年月日等が記入されて、支柱に貼り付けられるプレートを示す正面図である。
【００１８】
（身長測定器の全体構成）
図１に示すように、本実施の形態の身長測定器１は、被測定者を載せる踏台２と、目盛りが付され、踏台２上に立設される支柱３と、支柱３に沿って上下にスライドさせることが可能で（矢印Ａ，Ｂを参照）、前記被測定者の頭頂部に当接される計測部材４と、を備えている。そして、踏台２と支柱３は、挿脱可能に連結される。
ここで、支柱３は、長尺矩形状の薄板（平板）からなっている。
また、身長測定器１の各部材は、例えば飫肥杉等の木材を用いて形成されている。そして、このように木材を用いることにより、これまで廃棄されていた端材を有効資源とすることが可能となる。
【００１９】
図１，図２に示すように、踏台２は、矩形状の厚板からなり、当該踏台２の上面後端部には支柱支持部材５が立設されている。ここで、支柱支持部材５は、縦長矩形状の背板５ａと、前部が内方に鉤状に折れ曲がった両側板５ｂ，５ｃと、により構成されている。そして、支柱支持部材５の、背板５ａと両側板５ｂ，５ｃとによって形成される空間に、支柱３の下端部を挿入することにより、踏台２に支柱３を分離可能に連結できるようにされている（図２の矢印Ｃ，Ｄ，Ｅ，Ｆ及びＣ’，Ｄ’，Ｅ’，Ｆ’を参照）。尚、支柱支持部材５の両側板５ｂ，５ｃの鉤状部分により、支柱３の前方への転倒が防止される。
【００２０】
図１〜図４に示すように、支柱支持部材５は、背板５ａが踏台２の厚み分だけ両側板５ｂ，５ｃよりも下方に延出しており、当該延出部分５ｄの幅は、正面側から背面側に行くにしたがって小さくなっている。すなわち、延出部分５ｄの水平断面は台形状になっている。また、支柱支持部材５の背板５ａには、下端中央から上方に向けてスリット５ｅが形成されている。
一方、踏台２の後端中央には、支柱支持部材５の延出部分５ｄの水平断面形状（台形状）と略同一の水平断面形状を有する切欠部２ａが形成されている。
そして、踏台２の切欠部２ａに、上方から支柱支持部材５の延出部分５ｄを嵌入することにより、踏台２の上面後端部に支柱支持部材５を分離可能に立設できるようにされている（図３の矢印Ｇ，Ｈ，Ｉ，Ｊ及びＧ’，Ｈ’，Ｉ’，Ｊ’を参照）。
尚、延出部分５ｄを切欠部２ａに嵌入する際には、スリット５ｅの間隔が若干狭くなって延出部分５ｄが切欠部２ａに入っていき、延出部分５ｄを切欠部２ａに嵌入した後は、スリット５ｅの間隔が元に戻ろうとする弾性力により、支柱支持部材５が踏台２にしっかりと保持される。また、支柱支持部材５の延出部分５ｄと踏台２の切欠部２ａの水平断面形状を、略同一の台形状としたことにより、支柱３に後向きに力が加わっても、支柱支持部材５が後向きに倒れてしまうことはない。
【００２１】
以上のように、本実施の形態の身長測定器１の構成によれば、踏台２と支柱３の分解・組立てが容易な身長測定器を提供することができる。
そして、これにより、身長測定器１の不使用時に、踏台２と支柱３を分解して収納保管しておくことができるので、収納スペースが狭くて済む。
また、踏台２と支柱３を分解することにより、運搬もしやすくなる。
すなわち、本実施の形態の身長測定器１の構成によれば、踏台２と支柱３の分解・組立てが容易で、運搬あるいは保管の便を図ることが可能な身長測定器を提供することができる。
また、踏台２と支柱支持部材５も分離することが可能であるため、収納スペースのさらなる狭小化を図ることができる。
【００２２】
（支柱の構成）
図１，図５，図６に示すように、支柱３は、分離可能に連結される第１〜第３の支柱要素３ａ，３ｂ，３ｃからなっている。
第１の支柱要素３ａは、一番下に設置される支柱要素であり、その上端中央には、矩形小片状の凸部３ｄが形成されている。また、第１の支柱要素３ａの上端部には、凸部３ｄの左右に位置して矩形状の凹部３ｅ，３ｆが形成されている。
第２の支柱要素３ｂは、真ん中に設置される支柱要素であり、その下端部中央には、矩形状の凹部３ｇが形成されている。また、第２の支柱要素３ｂの下端には、凹部３ｇの左右に位置して矩形小片状の凸部３ｈ，３ｉが形成されている。
第１及び第２の支柱要素３ａ，３ｂをこのように構成したことにより、第２の支柱要素３ｂの下端の凸部３ｈ，３ｉを、第１の支柱要素３ａの上端部の凹部３ｅ，３ｆにそれぞれ嵌入すると共に、第１の支柱要素３ａの上端の凸部３ｄを、第２の支柱要素３ｂの下端部の凹部３ｇに嵌入して、第１の支柱要素３ａと第２の支柱要素３ｂを、分離可能に連結することが可能となる（図６（ａ）の矢印Ｋ，Ｌ及びＭ，Ｎを参照）。
第２の支柱要素３ｂの上端中央には、矩形小片状の凸部３ｊが形成されている。また、第２の支柱要素３ｂの上端部には、凸部３ｊの左右に位置して矩形状の凹部３ｋ，３ｌが形成されている。
第３の支柱要素３ｃは、一番上に設置される支柱要素であり、その下端部中央には、矩形状の凹部３ｍが形成されている。また、第３の支柱要素３ｃの下端には、凹部３ｍの左右に位置して矩形小片状の凸部３ｎ，３ｏが形成されている。
第２及び第３の支柱要素３ｂ，３ｃをこのように構成したことにより、第３の支柱要素３ｃの下端の凸部３ｎ，３ｏを、第２の支柱要素３ｂの上端部の凹部３ｋ，３ｌにそれぞれ嵌入すると共に、第２の支柱要素３ａの上端の凸部３ｊを、第３の支柱要素３ｃの下端部の凹部３ｍに嵌入して、第２の支柱要素３ｂと第３の支柱要素３ｃを、分離可能に連結することが可能となる（図６（ｂ）の矢印Ｏ，Ｐ及びＱ，Ｒを参照）。
【００２３】
以上のように、本実施の形態の身長測定器１の構成によれば、支柱３を、第１〜第３の支柱要素３ａ，３ｂ，３ｃに分離することが可能な身長測定器を提供することができる。
そして、これにより、身長測定器１の不使用時に、支柱３を、第１〜第３の支柱要素３ａ，３ｂ，３ｃに分解して収納保管しておくことができるので、収納スペースのさらなる狭小化を図ることができる。また、身長測定器１を、さらに細かく分解できるようになるため、運搬がさらにしやすくなる。
【００２４】
（計測部材の構成）
図１，図７〜図１０に示すように、計測部材４は、支柱３と分離した状態で設けられており、支柱３の前面に当接される第１当接部材４ａと、第１当接部材４ａに分離可能に連結され、被測定者の頭頂部に当接される第２当接部材４ｂと、により構成されている。また、第２当接部材４ｂの先端部分には、壁掛け用の孔４ｃが形成されている。
【００２５】
図７〜図１０に示すように、第１当接部材４ａは、支柱３の前面に当接される第１当接部４ｄと、第１当接部４ｄの左右両端に後方に突出して設けられ、支柱３を左右から挟む挟持部４ｅ，４ｆと、第１当接部４ｄの前面に左右に延出して形成され、第２当接部材４ｂの後述する凸条４ｈが嵌入される溝部４ｇと、を備えている。
ここで、第１当接部４ｄの、支柱３との当接面は、後方に凸の円弧面となっている。そして、これにより、計測部材４と支柱３との接触面積を減らして、計測部材４を支柱３に沿ってスムーズにスライドさせることができるようにされている（図１０の矢印Ａ，Ｂを参照）。
【００２６】
第１当接部材４ａの溝部４ｇは、その長手方向と垂直な断面の形状（垂直断面形状）が後面側から前面側に向かって細くなる台形状になっている。
一方、第２当接部材４ｂの後端には、第１当接部材４ａの溝部４ｇの垂直断面形状（台形状）と略同一の垂直断面形状を有する凸条４ｈが形成されている。
そして、第１当接部材４ａの溝部４ｇに、左方から第２当接部材４ｂの凸条４ｈを嵌入することにより、第１当接部材４ａに第２当接部材４ｂを分離可能に連結できるようにされている（図８の矢印Ｓ，Ｓ’を参照）。
【００２７】
以上のように、計測部材４を、支柱３と分離した状態で設け、当該計測部材４の第２当接部材４ｂの先端部分に壁掛け用の孔４ｃを形成するようにしたことにより、計測部材４の不使用時に当該計測部材４を壁等に掛けておくことができる。
この場合、例えば図１１に示すように、支柱３（第３の支柱要素３ｃ）にフック６を取り付け、当該フック６に計測部材４を掛けておくようにすることが好ましい。かかる好ましい構成によれば、身長測定器１を使用する際に、計測部材４をすぐに手にすることができるため、使い勝手の良い身長測定器を提供することが可能となる。
また、第１当接部材４ａと第２当接部材４ｂも分離することが可能であるため、身長測定器１の不使用時に、計測部材４を、第１当接部材４ａと第２当接部材４ｂに分解して収納保管しておくことができる。そして、これにより、収納スペースのさらなる狭小化を図ることができる。
【００２８】
図７〜図１０に示すように、第２当接部材４ｂは、長尺台形状の板体からなる下層４ｉと、同じく長尺台形状の板体からなり、下層４ｉ上に接着固定された上層４ｊと、を備えている。ここで、上層４ｊは、下層４ｉよりも一回り小さくなっており、両者は後端で位置が揃っている。また、壁掛け用の孔４ｃは、下層４ｉの先端部分に形成されており、凸条４ｈは、上層４ｊの後端に形成されている。
上層４ｊには、その長手方向に沿って略長円状の筆記具収容孔４ｋが穿設されており、当該筆記具収容孔４ｋ内にボールペン等の筆記具（図示せず）を収容しておくことができるようにされている。また、上層４ｊの中央上面には、筆記具収容孔４ｋ内に収容された筆記具の飛び出しを防止する飛び出し防止片４ｌの一端が回動可能に支持されている。
この筆記具は、例えば、支柱３に測定結果等を書き込むために用いられる。尚、支柱３に測定結果等を直接書き込むのではなく、例えば図１２に示すようなプレート７ａ，７ｂ等に測定年月日等を記入し、これを支柱３の測定箇所に貼り付けるようにしてもよい。
【００２９】
［身長測定器の使用方法］
次に、本実施の形態における身長測定器の使用方法について説明する。
【００３０】
（身長測定器の組立方法）
本実施の形態の身長測定器１は、以下のようにして組み立てられる。
まず、図５（ａ），（ｂ），図６（ａ）に示すように、第２の支柱要素３ｂの下端の凸部３ｈ，３ｉを、第１の支柱要素３ａの上端部の凹部３ｅ，３ｆにそれぞれ嵌入すると共に、第１の支柱要素３ａの上端の凸部３ｄを、第２の支柱要素３ｂの下端部の凹部３ｇに嵌入して、第１の支柱要素３ａと第２の支柱要素３ｂを連結する（図６（ａ）の矢印Ｋ，Ｌを参照）。続けて、図５（ｂ），（ｃ），図６（ｂ）に示すように、第３の支柱要素３ｃの下端の凸部３ｎ，３ｏを、第２の支柱要素３ｂの上端部の凹部３ｋ，３ｌにそれぞれ嵌入すると共に、第２の支柱要素３ａの上端の凸部３ｊを、第３の支柱要素３ｃの下端部の凹部３ｍに嵌入して、第２の支柱要素３ｂと第３の支柱要素３ｃを連結する（図６（ｂ）の矢印Ｏ，Ｐを参照）。
これにより、第１〜第３の支柱要素３ａ，３ｂ，３ｃが連結されて、長尺矩形状の薄板（平板）からなる支柱３が得られる（図１を参照）。
次いで、図３，図４に示すように、踏台２の切欠部２ａに、上方から支柱支持部材５の延出部分５ｄを嵌入することにより（図３の矢印Ｇ，Ｈ，Ｉ，Ｊを参照）、踏台２の上面後端部に支柱支持部材５を立設する（図２を参照）。
次いで、図２に示すように、支柱支持部材５の、背板５ａと両側板５ｂ，５ｃとによって形成される空間に、支柱３の下端部を挿入することにより（矢印Ｃ，Ｄ，Ｅ，Ｆを参照）、踏台２に支柱３を連結する（図１を参照）。
以上により、身長測定器１を簡単に組み立てることができる。
【００３１】
（身長測定器を用いた身長の測定方法）
図１に示す身長測定器１の踏台２の上に、支柱３に背中を当てた状態で被測定者を載せる。
次いで、図１，図１０に示すように、被測定者の頭頂部よりも上で、計測部材４の第１当接部材４ａの第１当接部４ｄを、支柱３の前面に当接させて、下方にスライドさせる（矢印Ｂを参照）。これにより、計測部材４の第２当接部材４ｂが被測定者の頭頂部に当接する。このときの第２当接部材４ｂの下面が示す支柱３上の目盛りが、被測定者の身長である。
被測定者の身長を測定したら、図１２に示すプレート７ａ，７ｂ等に測定年月日等を記入し、これを支柱３の測定箇所に貼り付ける。これにより、被測定者の身長の測定結果を例えば子供の成長記録として支柱３上に残しておくことができる。
【００３２】
（身長測定器の分解方法）
本実施の形態の身長測定器１は、上記した「身長測定器の組立方法」とはほぼ逆の手順で分解することができる。
まず、図１，図２に示すように、支柱支持部材５の、背板５ａと両側板５ｂ，５ｃとによって形成される空間から、支柱３の下端部を引き抜くことにより（図２の矢印Ｃ’，Ｄ’，Ｅ’，Ｆ’を参照）、踏台２と支柱３を分離する。
次いで、図３，図４に示すように、踏台２の切欠部２ａから、支柱支持部材５の延出部分５ｄを引き抜くことにより（図３の矢印Ｇ’，Ｈ’，Ｉ’，Ｊ’を参照）、踏台２と支柱支持部材５を分離する。
次いで、図５（ｂ），（ｃ），図６（ｂ）に示すように、第３の支柱要素３ｃの下端の凸部３ｎ，３ｏを、第２の支柱要素３ｂの上端部の凹部３ｋ，３ｌから引き抜くと共に、第２の支柱要素３ａの上端の凸部３ｊを、第３の支柱要素３ｃの下端部の凹部３ｍから引き抜いて、第２の支柱要素３ｂと第３の支柱要素３ｃを分離する（図６（ｂ）の矢印Ｑ，Ｒを参照）。続けて、図５（ａ），（ｂ），図６（ａ）に示すように、第２の支柱要素３ｂの下端の凸部３ｈ，３ｉを、第１の支柱要素３ａの上端部の凹部３ｅ，３ｆから引き抜くと共に、第１の支柱要素３ａの上端の凸部３ｄを、第２の支柱要素３ｂの下端部の凹部３ｇから引き抜いて、第１の支柱要素３ａと第２の支柱要素３ｂを分離する（図６（ａ）の矢印Ｍ，Ｎを参照）。
これにより、第１〜第３の支柱要素３ａ，３ｂ，３ｃが分離される（図５を参照）。
最後に、図７〜図９に示すように、第１当接部材４ａの溝部４ｇから、第２当接部材４ｂの凸条４ｈを引き抜くことにより（図８の矢印Ｓ’を参照）、計測部材４を、第１当接部材４ａと第２当接部材４ｂに分離する。
以上により、身長測定器１を簡単に分解することができる。そして、このように身長測定器１を各構成部材に細かく分解できるようにしたことにより、運搬あるいは保管の便を図ることが可能となる。
【００３３】
尚、上記実施の形態においては、支柱３が長尺矩形状の薄板（平板）からなる場合を例に挙げて説明したが、本考案は必ずしもこのような構成に限定されるものではない。踏台と支柱が挿脱可能に連結される構成になっていれば、支柱は、例えば、角材等からなっていてもよい。
【００３４】
また、上記実施の形態においては、支柱３が、分離可能に連結される第１〜第３の支柱要素３ａ，３ｂ，３ｃからなっている場合を例に挙げて説明したが、本考案は必ずしもこのような構成に限定されるものではない。支柱は、分離可能に連結される複数の支柱要素からなっていればよく、支柱要素の数は２つであっても４つ以上であっても構わない。
【００３５】
また、上記実施の形態においては、計測部材４が支柱３と分離した状態で設けられている場合を例に挙げて説明したが、本考案は必ずしもこのような構成に限定されるものではない。計測部材は、支柱から取外し可能であれば、支柱にスライド可能に取り付けられていてもよい。
【００３６】
また、上記実施の形態においては、身長測定器１の各部材が、例えば飫肥杉等の木材を用いて形成されている場合を例に挙げて説明したが、本考案は必ずしもこのような構成に限定されるものではない。身長測定器の素材は、必要に応じて適宜変更してもよく、部材ごとに異なる素材を用いてもよい。
【００３７】
また、上記実施の形態においては、支柱３が踏台２上に立設される場合を例に挙げて説明したが、以下のような使い方をすることもできる。
すなわち、図１３に示すように、屋内の部屋の壁に、幅木８に載せた状態で支柱３’をビス止めして使用することもできる。この場合の被測定者の身長は、幅木８の高さを加えたものとなる。尚、ここでは、支柱３’が第１及び第３の支柱要素３ａ，３ｃのみからなっている場合を示している。
【符号の説明】
【００３８】
１  身長測定器
２  踏台
２ａ  切欠部
３  支柱
３ａ  第１の支柱要素
３ｂ  第２の支柱要素
３ｃ  第３の支柱要素
３ｄ，３ｈ，３ｉ，３ｊ，３ｎ，３ｏ  凸部
３ｅ，３ｆ，３ｇ，３ｋ，３ｌ，３ｍ  凹部
４  計測部材
４ａ  第１当接部材
４ｂ  第２当接部材
４ｃ  壁掛け用の孔
４ｄ  第１当接部
４ｅ，４ｆ  挟持部
４ｇ  溝部
４ｈ  凸条
４ｉ  下層
４ｊ  上層
４ｋ  筆記具収容孔
４ｌ  飛び出し防止片
５  支柱支持部材
５ａ  背板
５ｂ，５ｃ  側板
５ｄ  延出部分
５ｅ  スリット
６  フック
７ａ，７ｂ  プレート
【図１】
0003210108.tif 000003
【図２】
0003210108.tif 000004
【図３】
0003210108.tif 000005
【図４】
0003210108.tif 000006
【図５】
0003210108.tif 000007
【図６】
0003210108.tif 000008
【図７】
0003210108.tif 000009
【図８】
0003210108.tif 000010
【図９】
0003210108.tif 000011
【図１０】
0003210108.tif 000012
【図１１】
0003210108.tif 000013
【図１２】
0003210108.tif 000014
【図１３】
0003210108.tif 000015